(57)【要約】【課題】著名なドメイン名と酷似したドメイン名のメールサーバを構築し、そこに誤って送られて来る電子メールのアドレスを取得する不当な収集を防止し、またそのように不当に収集されたアドレスに対して送られる迷惑電子メールを防止するとともに、ユーザが誤って迷惑メールサーバに電子メールを送信することを防止する技術を提供することを目的とする。【解決手段】著名なドメイン名を１文字変更するなどしたドメイン名を生成し、そのドメイン名のメールサーバがネットワーク上に存在するかを探知する。存在したとき、テスト用メールアドレスを生成し、そのドメイン名の部分を前記変更後のドメイン名に変え、そのメールアドレスを宛先としてテスト用メールを送信する。そのテスト用メールアドレスを宛先としてメールが送信されたとき、そのメールの送信元のメールサーバおよび前記変更後のドメイン名のメールサーバを迷惑メールサーバと見なす。【選択図】　図６
2004104271.tif 000002
【特許請求の範囲】
【請求項１】
ネットワーク上の迷惑メールサーバを探知する迷惑メールサーバ探知方法であって、
所定のメールサーバのドメイン名である第１のドメイン名を変更して第２のドメイン名を生成するステップと、
生成した第２のドメイン名のメールサーバがネットワーク上に存在するか否かを探知するステップと、
前記第２のドメイン名のメールサーバがネットワーク上に存在したとき、前記第１のドメイン名のテスト用メールアドレスを生成し、該テスト用メールアドレスのドメイン名の部分を前記第２のドメイン名に変更し、該変更後のメールアドレスを宛先としてテスト用メールを送信するステップと、
前記テスト用メールアドレスを宛先としてメールが送信されてきたとき、そのメールの送信元のメールサーバおよび前記第２のドメイン名のメールサーバを、迷惑メールサーバと見なすステップと
を備えたことを特徴とする迷惑メールサーバ探知方法。
【請求項２】
ネットワーク上の迷惑メールサーバを探知する迷惑メールサーバ探知方法であって、
ネットワーク上に迷惑メールサーバ探知サーバを設け、
前記迷惑メールサーバ探知サーバにて、所定のメールサーバのドメイン名である第１のドメイン名を変更して第２のドメイン名を生成するステップと、
前記迷惑メールサーバ探知サーバにて、生成した第２のドメイン名のメールサーバがネットワーク上に存在するか否かを探知するステップと、
前記第２のドメイン名のメールサーバがネットワーク上に存在したとき、前記迷惑メールサーバ探知サーバから、当該第２のドメイン名を生成する元になった第１のドメイン名のメールサーバに対して、前記第２のドメイン名のメールサーバが存在する旨を知らせる報告を送信するステップと、
前記報告を受けた第１のドメイン名のメールサーバにおいて、第１のドメイン名のテスト用メールアドレスを生成し、前記迷惑メールサーバ探知サーバに送信するステップと、
前記テスト用メールアドレスを受信した迷惑メールサーバ探知サーバにおいて、該テスト用メールアドレスのドメイン名の部分を前記第２のドメイン名に変更し、該変更後のメールアドレスを宛先としてテスト用メールを送信するステップと、
前記第１のドメイン名のメールサーバにおいて、前記テスト用メールアドレスを宛先としてメールが送信されてきたとき、そのメールの送信元のメールサーバおよび前記第２のドメイン名のメールサーバを、迷惑メールサーバと見なして迷惑メールサーバ一覧情報として登録するステップと、
前記迷惑メールサーバ探知サーバにおいて、前記第１のドメイン名のメールサーバで取得した迷惑メールサーバ一覧情報を収集し、迷惑メールサーバ一覧情報として保持するステップと
を備えたことを特徴とする迷惑メールサーバ探知方法。
【請求項３】
請求項１または２に記載の迷惑メールサーバ探知方法で探知した迷惑メールサーバからの迷惑電子メールの処理方法であって、
探知した迷惑メールサーバのドメイン名の一覧を迷惑メールサーバ一覧情報として所定のメールサーバに配布するステップと、
前記所定のメールサーバにおいて、前記迷惑メールサーバ一覧情報を参照し、受信した電子メールの送信元のドメイン名が該一覧情報に登録されていた場合、その電子メールが迷惑メールであると見なして排除するステップと
を備えたことを特徴とする迷惑電子メール処理方法。
【請求項４】
請求項１または２に記載の迷惑メールサーバ探知方法で探知した迷惑メールサーバに電子メールを送信することを防止する迷惑電子メール処理方法であって、探知した迷惑メールサーバのドメイン名を、その迷惑メールサーバ探知の元になった前記第１のメールサーバのドメイン名と対応させて、迷惑メールサーバ一覧情報として、所定のメールサーバに配布するステップと、
前記所定のメールサーバにおいて、自機に接続されているメールクライアントから送信しようとする電子メールの宛先のドメイン名が前記一覧情報の迷惑メールサーバのドメイン名として登録されていた場合、ユーザが電子メールの宛先を誤入力したものと見なし、その電子メールの宛先のドメイン名を、迷惑メールサーバのドメイン名からそれに対応する前記第１のドメイン名に変更して送信するステップと
を備えたことを特徴とする迷惑電子メール処理方法。
【請求項５】
ネットワーク上の迷惑メールサーバを探知する迷惑メールサーバ探知システムであって、
所定のメールサーバのドメイン名である第１のドメイン名を変更して第２のドメイン名を生成する手段と、
生成した第２のドメイン名のメールサーバがネットワーク上に存在するか否かを探知する手段と、
前記第２のドメイン名のメールサーバがネットワーク上に存在したとき、前記第１のドメイン名のテスト用メールアドレスを生成し、該テスト用メールアドレスのドメイン名の部分を前記第２のドメイン名に変更し、該変更後のメールアドレスを宛先としてテスト用メールを送信する手段と、
前記テスト用メールアドレスを宛先としてメールが送信されてきたとき、そのメールの送信元のメールサーバおよび前記第２のドメイン名のメールサーバを、迷惑メールサーバと見なす手段と
を備えたことを特徴とする迷惑メールサーバ探知システム。
【請求項６】
ネットワーク上の迷惑メールサーバを探知する迷惑メールサーバ探知システムであって、
ネットワーク上に接続された第１のメールサーバに加えて迷惑メールサーバ探知サーバを設け、
該迷惑メールサーバ探知サーバは、
所定のメールサーバのドメイン名である第１のドメイン名を変更して第２のドメイン名を生成する手段と、
生成した第２のドメイン名のメールサーバがネットワーク上に存在するか否かを探知する手段と、
前記第２のドメイン名のメールサーバがネットワーク上に存在したとき、当該第２のドメイン名を生成する元になった第１のドメイン名のメールサーバに対して、前記第２のドメイン名のメールサーバが存在する旨を知らせる報告を送信する手段と、
前記第１のドメイン名のメールサーバからテスト用メールアドレスを受信したとき、該テスト用メールアドレスのドメイン名の部分を前記第２のドメイン名に変更し、該変更後のメールアドレスを宛先としてテスト用メールを送信する手段と、
前記第１のドメイン名のメールサーバから送信された迷惑メールサーバ一覧情報を収集し、迷惑メールサーバ一覧情報として保持する手段と
を備え、
前記第１のドメイン名のメールサーバは、
前記迷惑メールサーバ探知サーバから、前記第２のドメイン名のメールサーバが存在する旨を知らせる報告を受けたとき、第１のドメイン名のテスト用メールアドレスを生成し、前記迷惑メールサーバ探知サーバに送信する手段と、
前記テスト用メールアドレスを宛先としてメールが送信されてきたとき、そのメールの送信元のメールサーバおよび前記第２のドメイン名のメールサーバを、迷惑メールサーバと見なして迷惑メールサーバ一覧情報として登録する手段と、
その迷惑メールサーバ一覧情報を前記迷惑メールサーバ探知サーバに送信する手段と
を備えたことを特徴とする迷惑メールサーバ探知システム。
【請求項７】
請求項５または６に記載の迷惑メールサーバ探知システムで探知した迷惑メールサーバからの迷惑電子メールの処理システムであって、
受信した電子メールの送信元のドメイン名が、前記探知した迷惑メールサーバのドメイン名であった場合、その電子メールが迷惑メールであると見なして排除する手段を備えたことを特徴とする迷惑電子メール処理システム。
【請求項８】
請求項５または６に記載の迷惑メールサーバ探知システムで探知した迷惑メールサーバに電子メールを送信することを防止する迷惑電子メール処理システムであって、
メールクライアントから送信しようとする電子メールの宛先のドメイン名が、前記探知した迷惑メールサーバのドメイン名であった場合、ユーザが電子メールの宛先を誤入力したものと見なし、その電子メールの宛先のドメイン名を、迷惑メールサーバのドメイン名からその迷惑メールサーバ探知の元になった第１のドメイン名に変更して送信する手段を備えたことを特徴とする迷惑電子メール処理システム。
【請求項９】
ネットワーク上の迷惑メールサーバを探知する迷惑メールサーバ探知プログラムであって、
所定のメールサーバのドメイン名である第１のドメイン名を変更して第２のドメイン名を生成するステップと、
生成した第２のドメイン名のメールサーバがネットワーク上に存在するか否かを探知するステップと、
前記第２のドメイン名のメールサーバがネットワーク上に存在したとき、前記第１のドメイン名のテスト用メールアドレスを生成し、該テスト用メールアドレスのドメイン名の部分を前記第２のドメイン名に変更し、該変更後のメールアドレスを宛先としてテスト用メールを送信するステップと、
前記テスト用メールアドレスを宛先としてメールが送信されてきたとき、そのメールの送信元のメールサーバおよび前記第２のドメイン名のメールサーバを、迷惑メールサーバと見なすステップと
を備えたことを特徴とする迷惑メールサーバ探知プログラム。
【発明の詳細な説明】
【０００１】
【発明の属する技術分野】
本発明は、ネットワークを経由しての電子メールの送受信において、迷惑メールサーバの存在を事前に探知して、迷惑メールサーバへの電子メールの送信や迷惑メールサーバからの迷惑電子メールの受信を事前に防止する為の技術に関するものである。
【０００２】
【従来の技術】
近年、ネットワーク関連技術の高度化やインフラの整備などに伴い、電子メールが広く利用されている。電子メールを利用する上で、嫌がらせ目的の大量の無意味な電子メール（スパムメール）や望まない商業広告目的のメール（ダイレクトメール）を迷惑メールサーバから受信し、不安や不愉快を感じるといったケースが社会的問題となっている。このような迷惑電子メールを排除する技術として、例えば特許文献１に開示の方法がある。この従来技術では、予め電子メール受信条件を定義しておき、受信した電子メールが迷惑電子メールか否かを、その電子メール受信条件に基づいて判断する。電子メール受信条件としては、例えば、同一送信者から非常に多数の電子メールが送信された場合や発信者不明の電子メールが送信された場合に迷惑メールと判断する、などの条件がある。また、特定の電子メール送信者を登録しておき、その送信者からの電子メールは一切受け取らないようにすることもできる。
【０００３】
【特許文献１】
特開２０００−１６３３４１号公報（第４−８頁、第１図、第２図）
【０００４】
【発明が解決しようとする課題】
ところで、最近では、著名なドメインと一文字違い等の酷似したドメインを持つ迷惑メールサーバを意識的に構築し、そのような迷惑メールサーバに誤って送信されて来る電子メールのアドレスを取得する業者が出現している。これは、著名なドメインの電子メールアドレスを宛先としてユーザが電子メールを送信する際に、入力ミスで、著名なドメイン名と一文字違いのドメイン名を入力してしまうケースなどがあることを想定し、そのようなケースで送られる電子メールを取得して電子メールアドレスを不当に収集するものである。収集された電子メールアドレスは、それ自体で売買されたりダイレクトメールに利用されたりする。上述の従来技術では、このような不当な電子メールの収集を防止できず、またそのように収集されたアドレスに送信される迷惑メールを防止することができない。
【０００５】
本発明は、上述の従来技術の問題点に鑑み、著名なドメイン名と一文字違い等の酷似したドメイン名を持つ迷惑メールサーバを構築し、そこに誤って送られて来る電子メールのアドレスを取得するアドレスの不当な収集を防止し、またそのように不当に収集されたアドレスに対して送られる迷惑電子メールを防止するとともに、ユーザが誤って迷惑メールサーバに電子メールを送信することを防止する技術を提供することを目的とする。
【０００６】
【課題を解決するための手段】
上記目的を達成するために、請求項１に係る発明は、ネットワーク上の迷惑メールサーバを探知する迷惑メールサーバ探知方法であって、所定のメールサーバのドメイン名である第１のドメイン名を変更して第２のドメイン名を生成するステップと、生成した第２のドメイン名のメールサーバがネットワーク上に存在するか否かを探知するステップと、前記第２のドメイン名のメールサーバがネットワーク上に存在したとき、前記第１のドメイン名のテスト用メールアドレスを生成し、該テスト用メールアドレスのドメイン名の部分を前記第２のドメイン名に変更し、該変更後のメールアドレスを宛先としてテスト用メールを送信するステップと、前記テスト用メールアドレスを宛先としてメールが送信されてきたとき、そのメールの送信元のメールサーバおよび前記第２のドメイン名のメールサーバを、迷惑メールサーバと見なすステップとを備えたことを特徴とする。
【０００７】
請求項２に係る発明は、ネットワーク上の迷惑メールサーバを探知する迷惑メールサーバ探知方法であって、ネットワーク上に迷惑メールサーバ探知サーバを設け、前記迷惑メールサーバ探知サーバにて、所定のメールサーバのドメイン名である第１のドメイン名を変更して第２のドメイン名を生成するステップと、前記迷惑メールサーバ探知サーバにて、生成した第２のドメイン名のメールサーバがネットワーク上に存在するか否かを探知するステップと、前記第２のドメイン名のメールサーバがネットワーク上に存在したとき、前記迷惑メールサーバ探知サーバから、当該第２のドメイン名を生成する元になった第１のドメイン名のメールサーバに対して、前記第２のドメイン名のメールサーバが存在する旨を知らせる報告を送信するステップと、前記報告を受けた第１のドメイン名のメールサーバにおいて、第１のドメイン名のテスト用メールアドレスを生成し、前記迷惑メールサーバ探知サーバに送信するステップと、前記テスト用メールアドレスを受信した迷惑メールサーバ探知サーバにおいて、該テスト用メールアドレスのドメイン名の部分を前記第２のドメイン名に変更し、該変更後のメールアドレスを宛先としてテスト用メールを送信するステップと、前記第１のドメイン名のメールサーバにおいて、前記テスト用メールアドレスを宛先としてメールが送信されてきたとき、そのメールの送信元のメールサーバおよび前記第２のドメイン名のメールサーバを、迷惑メールサーバと見なして迷惑メールサーバ一覧情報として登録するステップと、前記迷惑メールサーバ探知サーバにおいて、前記第１のドメイン名のメールサーバで取得した迷惑メールサーバ一覧情報を収集し、迷惑メールサーバ一覧情報として保持するステップとを備えたことを特徴とする。
【０００８】
請求項３に係る発明は、請求項１または２に記載の迷惑メールサーバ探知方法で探知した迷惑メールサーバからの迷惑電子メールの処理方法であって、探知した迷惑メールサーバのドメイン名の一覧を迷惑メールサーバ一覧情報として所定のメールサーバに配布するステップと、前記所定のメールサーバにおいて、前記迷惑メールサーバ一覧情報を参照し、受信した電子メールの送信元のドメイン名が該一覧情報に登録されていた場合、その電子メールが迷惑メールであると見なして排除するステップとを備えたことを特徴とする。
【０００９】
請求項４に係る発明は、請求項１または２に記載の迷惑メールサーバ探知方法で探知した迷惑メールサーバに電子メールを送信することを防止する迷惑電子メール処理方法であって、探知した迷惑メールサーバのドメイン名を、その迷惑メールサーバ探知の元になった前記第１のメールサーバのドメイン名と対応させて、迷惑メールサーバ一覧情報として、所定のメールサーバに配布するステップと、前記所定のメールサーバにおいて、自機に接続されているメールクライアントから送信しようとする電子メールの宛先のドメイン名が前記一覧情報の迷惑メールサーバのドメイン名として登録されていた場合、ユーザが電子メールの宛先を誤入力したものと見なし、その電子メールの宛先のドメイン名を、迷惑メールサーバのドメイン名からそれに対応する前記第１のドメイン名に変更して送信するステップとを備えたことを特徴とする。
【００１０】
請求項５に係る発明は、ネットワーク上の迷惑メールサーバを探知する迷惑メールサーバ探知システムであって、所定のメールサーバのドメイン名である第１のドメイン名を変更して第２のドメイン名を生成する手段と、生成した第２のドメイン名のメールサーバがネットワーク上に存在するか否かを探知する手段と、前記第２のドメイン名のメールサーバがネットワーク上に存在したとき、前記第１のドメイン名のテスト用メールアドレスを生成し、該テスト用メールアドレスのドメイン名の部分を前記第２のドメイン名に変更し、該変更後のメールアドレスを宛先としてテスト用メールを送信する手段と、前記テスト用メールアドレスを宛先としてメールが送信されてきたとき、そのメールの送信元のメールサーバおよび前記第２のドメイン名のメールサーバを、迷惑メールサーバと見なす手段とを備えたことを特徴とする。
【００１１】
請求項６に係る発明は、ネットワーク上の迷惑メールサーバを探知する迷惑メールサーバ探知システムであって、ネットワーク上に接続された第１のメールサーバに加えて迷惑メールサーバ探知サーバを設け、該迷惑メールサーバ探知サーバは、所定のメールサーバのドメイン名である第１のドメイン名を変更して第２のドメイン名を生成する手段と、生成した第２のドメイン名のメールサーバがネットワーク上に存在するか否かを探知する手段と、前記第２のドメイン名のメールサーバがネットワーク上に存在したとき、当該第２のドメイン名を生成する元になった第１のドメイン名のメールサーバに対して、前記第２のドメイン名のメールサーバが存在する旨を知らせる報告を送信する手段と、前記第１のドメイン名のメールサーバからテスト用メールアドレスを受信したとき、該テスト用メールアドレスのドメイン名の部分を前記第２のドメイン名に変更し、該変更後のメールアドレスを宛先としてテスト用メールを送信する手段と、前記第１のドメイン名のメールサーバから送信された迷惑メールサーバ一覧情報を収集し、迷惑メールサーバ一覧情報として保持する手段とを備え、前記第１のドメイン名のメールサーバは、前記迷惑メールサーバ探知サーバから、前記第２のドメイン名のメールサーバが存在する旨を知らせる報告を受けたとき、第１のドメイン名のテスト用メールアドレスを生成し、前記迷惑メールサーバ探知サーバに送信する手段と、前記テスト用メールアドレスを宛先としてメールが送信されてきたとき、そのメールの送信元のメールサーバおよび前記第２のドメイン名のメールサーバを、迷惑メールサーバと見なして迷惑メールサーバ一覧情報として登録する手段と、その迷惑メールサーバ一覧情報を前記迷惑メールサーバ探知サーバに送信する手段とを備えたことを特徴とする。
【００１２】
請求項７に係る発明は、請求項５または６に記載の迷惑メールサーバ探知システムで探知した迷惑メールサーバからの迷惑電子メールの処理システムであって、受信した電子メールの送信元のドメイン名が、前記探知した迷惑メールサーバのドメイン名であった場合、その電子メールが迷惑メールであると見なして排除する手段を備えたことを特徴とする。
【００１３】
請求項８に係る発明は、請求項５または６に記載の迷惑メールサーバ探知システムで探知した迷惑メールサーバに電子メールを送信することを防止する迷惑電子メール処理システムであって、メールクライアントから送信しようとする電子メールの宛先のドメイン名が、前記探知した迷惑メールサーバのドメイン名であった場合、ユーザが電子メールの宛先を誤入力したものと見なし、その電子メールの宛先のドメイン名を、迷惑メールサーバのドメイン名からその迷惑メールサーバ探知の元になった第１のドメイン名に変更して送信する手段を備えたことを特徴とする。
【００１４】
請求項９に係る発明は、ネットワーク上の迷惑メールサーバを探知する迷惑メールサーバ探知プログラムであって、所定のメールサーバのドメイン名である第１のドメイン名を変更して第２のドメイン名を生成するステップと、生成した第２のドメイン名のメールサーバがネットワーク上に存在するか否かを探知するステップと、前記第２のドメイン名のメールサーバがネットワーク上に存在したとき、前記第１のドメイン名のテスト用メールアドレスを生成し、該テスト用メールアドレスのドメイン名の部分を前記第２のドメイン名に変更し、該変更後のメールアドレスを宛先としてテスト用メールを送信するステップと、前記テスト用メールアドレスを宛先としてメールが送信されてきたとき、そのメールの送信元のメールサーバおよび前記第２のドメイン名のメールサーバを、迷惑メールサーバと見なすステップとを備えたことを特徴とする。
【００１５】
【発明の実施の形態】
以下、本発明の実施の一形態を図面に基づいて詳細に説明する。
【００１６】
図１に、本発明の実施形態であるシステムの構成例を示す。インターネット上に、迷惑メール撃退サーバ１ａおよび少なくとも１つ以上の著名なドメインのメールサーバ１ｂが接続されている。迷惑メール撃退サーバ１ａと著名なドメインのメールサーバ１ｂ間ではあらかじめ契約が結ばれているものとする。著名なドメインのメールサーバ１ｂには電子メール利用者が電子メールの送受信に使用するユーザ端末１ｄが接続されている。実際には、ユーザ端末１ｄと同様の複数のユーザ端末が、著名なドメインのメールサーバ１ｂに接続されている。ユーザ端末は、ＰＣ、ＰＤＡ、あるいは携帯電話など、インターネットに接続できる機器であればどのようなものでもよい。
【００１７】
迷惑メール撃退サーバ１ａは、著名なドメインの一覧情報を保持する著名ドメイン一覧情報１ｅ、および迷惑メールサーバの一覧情報を保持する迷惑メールサーバ一覧情報１ｆを保持している。著名なドメインのメールサーバ１ｂは、迷惑メールサーバの一覧情報を保持する迷惑メールサーバ一覧情報１ｆ、迷惑電子メールの判断条件情報を保持する迷惑電子メール判断条件情報１ｇ、およびテスト用の電子メールのメールアドレス一覧情報を保持するテスト用メールアドレス一覧情報１ｈを保持している。
【００１８】
図２は、図１のシステムにおいて不審メールサーバを自動的に探知する際に用いる著名ドメイン一覧情報１ｅの構成例を示す。著名ドメイン一覧情報１ｅには、著名ドメインリスト２ａ、および不審メールサーバ発見時連絡先２ｂの情報が記載されている。
【００１９】
著名ドメインリスト２ａは、一般的に知られている著名なドメインのリストであり、ネットワーク上から、前記著名なドメインとドメインの酷似した不審なメールサーバを探索するのに用いられる。図中では、ドメイン名ａａａａａ．ｎｅ．ｊｐ，ｃｃｃｃｃ．ｃｏ．ｊｐ，…が、リストに登録されている。実際には、例えばａａａａａやｃｃｃｃｃの部分は、著名な会社名、商標、商品名、サービス名などである。
【００２０】
不審メールサーバ発見時連絡先２ｂは、著名ドメインリスト２ａへの連絡先メールアドレスであり、不審なメールサーバを発見した時に、報告のための電子メールを自動的に送信し、不審なメールサーバへのテストメール用のメールアドレスを自動的に返信してもらうのに用いられる。図中では、各著名ドメインに対応する連絡先メールアドレスｘｘｘ＠ａａａａａ．ｎｅ．ｊｐ，ｘｘｘ＠ｃｃｃｃｃ．ｃｏ．ｊｐ，…がリストに登録されている。
【００２１】
なお、迷惑メール撃退サーバ１ａと、著名ドメインリスト２ａに登録されているドメインとの間には、事前に契約が結ばれている。すなわち、著名ドメインリスト２ａに登録されているのはこの迷惑メール撃退サーバ１ａと事前に契約を結んだ著名なドメインのメールサーバのドメインであり、対応する不審メールサーバ発見時連絡先２ｂはその著名ドメインのメールサーバとの間であらかじめ決めてあるメールアドレスである。
【００２２】
図３は、図１のシステムにおいて迷惑メールサーバに対しての電子メール送受信について自動判断する際に用いる迷惑メールサーバ一覧情報１ｆの構成例である。迷惑メールサーバ一覧情報１ｆには、迷惑メールサーバドメイン名３ａ、および著名メールサーバドメイン名３ｂの情報が記述されている。
【００２３】
迷惑メールサーバドメイン名３ａは、これまでに探知した迷惑メールサーバのドメイン名の一覧であり、迷惑メールサーバへの電子メールの送信の防止、迷惑メールサーバからの電子メールの受信の防止に用いられる。図中では、ドメイン名ａｂａａａ．ｎｅ．ｊｐ，ｃｃｃｃｃ．ｎｅ．ｊｐ，ｄｄｄｄｄ．ｎｅ．ｊｐ，…が、リストに登録されている。ドメイン名ａｂａａａ．ｎｅ．ｊｐは、図２に示した著名なドメイン名ａａａａａ．ｎｅ．ｊｐの一文字違いの名称である。ドメイン名ｃｃｃｃｃ．ｎｅ．ｊｐは、図２に示した著名なドメイン名ｃｃｃｃｃ．ｃｏ．ｊｐのｃｏをｎｅに置き換えた名称である。
【００２４】
著名メールサーバドメイン名３ｂは、迷惑メールサーバのドメイン名に対応する著名なメールサーバのドメイン名である。ユーザの入力ミスなどにより迷惑メールサーバへ電子メールを送信しそうになったとき、自動的に迷惑メールサーバのドメイン名を著名なメールサーバのドメイン名に自動変換するのに用いられる。図中では、ドメイン名ａａａａａ．ｎｅ．ｊｐ，ｃｃｃｃｃ．ｃｏ．ｊｐ，スペース，…が、リストに登録されている。なお、スペースは、対応する迷惑メールサーバドメイン名（例えば図３のｄｄｄｄｄ．ｎｅ．ｊｐ）が、著名なドメイン名の一文字違いなどではないが迷惑メールサーバであると見なされたものであることを示す。
【００２５】
迷惑メールサーバ一覧情報１ｆのこれらの項目は、一定期間ごとにネットワーク上を監視し、迷惑メールサーバの存在を自動探知したときに自動的に追加される。
【００２６】
図４は、図１のシステムにおいて、著名なドメインのメールサーバ１ｂで迷惑電子メールの判断を行う際に用いる迷惑電子メール判断条件情報１ｇの構成例を示す。迷惑電子メール判断条件情報１ｇには、迷惑電子メールを受信したことを判断する条件として、迷惑電子メール判断条件分類４ａ、および迷惑電子メール判断条件４ｂの情報が記載されている。
【００２７】
迷惑電子メール判断条件分類４ａは、迷惑電子メール判断条件の分類であり、図中では、同一送信元ドメイン条件、商業広告メール条件、および送信元ドメイン不定条件が登録されている。迷惑電子メール判断条件は４ｂは、迷惑電子メールの判断条件であり、図中では、「５０件／秒」、「”！広告！”の文字列を含む」、および「送信元が不明または、送信元が存在しない」が登録されている。
【００２８】
同一送信元ドメイン条件である「５０件／秒」は、同一の送信元ドメインから受け取ることのできる１秒当たりの電子メール件数の上限値（図中では、５０件／秒＝１秒５０件）を表している。同一の送信元ドメインからこの上限値を超える電子メールを受信したとき、それを迷惑メールと判断する。商業広告メール条件である「”！広告！”の文字列を含む」は、受け取った電子メールが商業広告メールかどうか判断する為の条件を表している。この条件により、電子メールのサブジェクト（題名）に”！広告！”の文字列が含まれている電子メールを受信したとき、それを迷惑メールと判断する。送信元ドメイン不定条件である「送信元が不明または、送信元が存在しない」は、電子メールの送信元ドメインが不定かどうかを判断する条件を表している。この条件により、送信元ドメインが不明または送信元ドメインが存在しない電子メールを受信したとき、それを迷惑メールと判断する。迷惑電子メール判断条件分類４ａおよび迷惑電子メール判断条件４ｂは、任意に追加、変更、あるいは削除ができるものとする。
【００２９】
なお、本実施形態において特徴的な迷惑電子メールの判断手法（図６で詳しく説明する）では、図４の情報は使用しない。図４の迷惑電子メール判断条件は、従来より用いられている迷惑メールを制限する手法で利用する情報である。このような情報を用いる従来の判断手法と本実施形態に特徴的な後述する手法を組み合わせることも可能である。
【００３０】
図５は、図１のシステムにおいて、迷惑メールサーバを判断する際に用いるテスト用メールアドレス一覧情報１ｈの構成例である。テスト用メールアドレス一覧情報１ｈには、迷惑メールサーバを判断する際に使用する、テストメール送信対象ドメイン名５ａ、およびテスト用メールアドレス５ｂの情報が記載されている。
【００３１】
テストメール送信対象ドメイン名５ａは、不審なメールサーバのドメイン名の一覧であり、不審なメールサーバにテスト用の電子メールを送信するのに用いられる。図中では、ドメイン名ａｂａａａ．ｎｅ．ｊｐ，ａａａａａ．ｃｏ．ｊｐ，…が、リストに登録されている。テスト用メールアドレス５ｂは、不審なメールサーバへのテスト用の電子メールに用いるメールアドレスであり、対応するテストメール送信対象ドメイン名５ａに登録されているドメインへテスト用の電子メールを送信するのに用いられる。図中では、メールアドレスｒｉ４ｆｋ０４ｏ＠ａａａａａ．ｎｅ．ｊｐとｉ３ｌ１ｉｖｍ８＠ａａａａａ．ｃｏ．ｊｐ，…が、登録されている。
【００３２】
次に、図１のシステムの動作を説明する。図６は、図１のシステムで迷惑メールサーバを探知し、その迷惑メールサーバの情報を保持する動作を説明するためのシステム図である。図１と図６とで、同じ付番は同じものを示す。
【００３３】
図６において、まず、迷惑メール撃退サーバ１ａは、著名ドメイン一覧情報１ｅの著名ドメインリスト２ａの情報をもとにネットワーク上を監視し、著名ドメインリスト２ａに登録してある著名ドメイン名と一文字違い等の名称の酷似したドメイン名の不審なメールサーバ６ａが存在していないか探索する（図６の▲１▼）。具体的には、著名ドメイン一覧情報１ｅの著名ドメインリスト２ａに登録されているドメイン名の一文字違い等の名称の酷似したドメイン名を自動的に生成し、生成されたドメイン名に対して問い合わせ（例えば、ｐｉｎｇコマンドなど）を実施する。応答があった場合は、当該ドメインのメールサーバを不審なメールサーバ６ａであると判断する。不審なメールサーバ６ａのドメインのパターンの例を挙げると、著名なドメインａａａａａ．ｎｅ．ｊｐに対して不審なドメインａｂａａａ．ｎｅ．ｊｐやａａａａａ．ｃｏ．ｊｐなどである。著名なドメイン名に対して、ユーザが入力ミスにより間違えそうなドメイン名とするのがよい。
【００３４】
迷惑メール撃退サーバ１ａが不審なメールサーバ６ａの存在を探知した場合、迷惑メール撃退サーバ１ａは、正規のメールサーバである著名なドメインのメールサーバ１ｂにその旨を連絡する（図６の▲２▼）。具体的に、この連絡は、著名ドメイン一覧情報１ｅの不審メールサーバ発見時連絡先２ｂへ、不審なメールサーバ６ａが存在することを伝える電子メールを自動的に送信することによって行われる。電子メールで連絡を受けた著名なドメインのメールサーバ１ｂは、不審なメールサーバ６ａへのテスト用のメールアドレスを記載した電子メールを迷惑メール撃退サーバ１ａへ自動的に返信する（図６の▲３▼）。同時に、不審なメールサーバ６ａのドメイン名をテスト用メールアドレス一覧情報１ｈ（図５）のテストメール送信対象ドメイン名５ａへ登録し、不審なメールサーバ６ａへのテスト用のメールアドレスをテスト用メールアドレス一覧情報１ｈのテスト用メールアドレス５ｂに登録する。なおテスト用のメールアドレスは、ｒｉ７ｆｋ０４ｏ＠ａａａａａ．ｎｅ．ｊｐのようなランダムに生成された複雑なメールアドレスであり、既存のメールアドレスと重複することはないものとする。また、テスト用のメールアドレスは、新たに不審なメールサーバ６ａが発見される度に、異なるメールアドレスが生成されるものとする。
【００３５】
迷惑メール撃退サーバ１ａは、著名なドメインのメールサーバ１ｂからテスト用のメールアドレスを取得すると、取得したテスト用のメールアドレスのドメイン部分を不審なメールサーバ６ａのドメインに置き換えて、不審なメールサーバ６ａにテスト用の電子メールを送信する（図６の▲４▼）。例を挙げて説明すると、著名なドメインのメールサーバ１ｂから取得したテスト用のメールアドレスがｒｉ４ｆｋ０４ｏ＠ａａａａａ．ｎｅ．ｊｐ、不審なメールサーバ６ａのドメインがａｂａａａ．ｎｅ．ｊｐであるとすると、迷惑メール撃退サーバ１ａはテスト用のメールアドレスｒｉ４ｆｋ０４ｏ＠ａａａａａ．ｎｅ．ｊｐのドメイン部分ａａａａａ．ｎｅ．ｊｐを、不審なメールサーバ６ａのドメインａｂａａａ．ｎｅ．ｊｐに置き換えて、ｒｉ４ｆｋ０４ｏ＠ａｂａａａ．ｎｅ．ｊｐ宛にテスト用の電子メールを送信する。
【００３６】
ドメインａｂａａａ．ｎｅ．ｊｐである不審なメールサーバ６ａは、著名なドメインのメールサーバ１ｂのドメインａａａａａ．ｎｅ．ｊｐに対する間違いメールを待っているメールサーバである。間違ってａｂａａａ．ｎｅ．ｊｐに送信されてきた電子メールの受信者メールアドレスｒｉ４ｆｋ０４ｏ＠ａｂａａａ．ｎｅ．ｊｐのドメインを、著名なドメインのメールサーバ１ｂのドメインａａａａａ．ｎｅ．ｊｐに置き換えることで、容易に当該電子メールの正規の受信者メールアドレスｒｉ４ｆｋ０４ｏ＠ａａａａａ．ｎｅ．ｊｐを取得することができる。不審なメールサーバ６ａは、取得した正規の受信者メールアドレスｒｉ４ｆｋ０４ｏ＠ａａａａａ．ｎｅ．ｊｐを、例えば複数の個人情報売買業者６ｂに売却する（図６の▲５▼）。各々の個人情報売買業者６ｂは、複数の迷惑メールサーバ６ｃに転売したりして個人情報が広く漏洩していく。なお、これは個人情報漏洩ルートの一例であり、その他にも複数の個人情報漏洩ルートが存在する。不審なメールサーバ６ａの運営者が、取得したアドレス宛にダイレクトメールなどを送信するケースもある。
【００３７】
迷惑メールサーバ６ｃが、取得したアドレスにダイレクトメールなどの迷惑メールを送信すると、著名なドメインのメールサーバ１ｂでそのメールを受信する。著名なドメインのメールサーバ１ｂは、受信した電子メールが迷惑電子メールかどうかを、当該電子メールの宛先がテスト用メールアドレス一覧情報１ｈ（図５）のテスト用メールアドレス５ｂと一致するかどうかで判断する。テスト用メールアドレス一覧情報１ｈのテスト用メールアドレス５ｂに登録されているアドレスは、過去に不審なメールサーバ６ａへのテスト用の電子メールに使用したメールアドレスであり、それが漏洩し、そのアドレスに電子メールが送られてきたものと見なすことができる。この場合、そのメールは迷惑メールサーバからの迷惑電子メールであると判断して次の処理を行う。
【００３８】
（１）当該迷惑電子メールの送信元ドメイン（図６の迷惑メールサーバ６ｃのドメイン）を迷惑メールサーバ一覧情報１ｆ（図３）の迷惑メールサーバドメイン名３ａに登録し、対応する著名メールサーバドメイン名３ｂにはスペースを登録する。
【００３９】
（２）テスト用メールアドレス一覧情報１ｈ（図５）のテストメール送信対象ドメイン名５ａに登録されている不審なメールサーバ６ａのドメイン名を、迷惑メールサーバ一覧情報１ｆ（図３）の迷惑メールサーバドメイン名３ａに登録する。また、それに対応する著名メールサーバドメイン名３ｂに、当該迷惑電子メールを受信した著名なドメインのメールサーバ１ｂのドメイン名を登録する。
【００４０】
以上により、著名なドメインのメールサーバ１ｂの迷惑メールサーバ一覧情報１ｆに、不審なメールサーバ６ａおよび迷惑メールサーバ６ｃのドメイン名が登録されたことになる。迷惑メールサーバ一覧情報１ｆの情報は、任意のタイミングで迷惑メール撃退サーバ１ａの迷惑メールサーバ一覧情報１ｆに自動的に送信・反映される。
【００４１】
迷惑メール撃退サーバ１ａは、例えば、著名なドメインのメールサーバ１ｂの運営者からの依頼を受けて、上述したような不審なメールサーバ６ａ経由で個人情報が漏洩することを防止する業務を行う業者が運営するものである。迷惑メール撃退サーバ１ａは、複数の著名なドメインのメールサーバの運営者からの依頼を受けることもでき、その場合、複数の著名なドメインのメールサーバで取得された迷惑メールサーバ一覧情報１ｆをマージし、発見された迷惑メールサーバをすべて含む迷惑メールサーバ一覧情報１ｆを生成する。生成された迷惑メールサーバ一覧情報１ｆは、著名なドメインのメールサーバ１ｂの迷惑メールサーバ一覧情報１ｆに送信・反映される。これにより、迷惑メール撃退サーバ１ａおよび各々の著名なドメインのメールサーバの迷惑メールサーバ一覧情報１ｆは、最新の状態が保持される。さらに、別途、契約したメールサーバには、迷惑メール撃退サーバ１ａから最新の迷惑メールサーバ一覧情報１ｆを送信しておく。
【００４２】
図７は、迷惑メールサーバへの電子メールの送信防止および迷惑メールサーバからの電子メールの受信防止の動作を説明するためのシステム図である。図１〜図６と同じ付番は同じものを示す。上述の動作により、図７では不図示の迷惑メール撃退サーバ１ａから最新の迷惑メールサーバ一覧情報１ｆが著名なドメインのメールサーバ１ｂの迷惑メールサーバ一覧情報１ｆに反映されているものとする。ユーザ端末７ｇは、ユーザが電子メールの送受信に使用する端末であり、著名なドメインのメールサーバ１ｂに接続されている。ユーザ端末７ｇのような端末は、実際には複数接続されている。メールサーバ７ｃは、迷惑メール撃退サーバ１ａと契約し、最新の迷惑メールサーバ一覧情報１ｆの送信を受け、迷惑メールサーバ一覧情報７ｄとして保持しているメールサーバである。このメールサーバ７ｃにも、複数のユーザ端末（７ｂなど）が接続されている。迷惑メールサーバ７ｅは、上述した手順で既にそのドメイン名が最新の迷惑メールサーバ一覧情報１ｆや７ｄに登録されているサーバである。
【００４３】
いま電子メール送信者７ａが電子メール受信者７ｆ宛てに電子メールを送信するとする。送信された電子メールは、メールサーバ７ｃからインターネットを経由して著名なドメインのメールサーバ１ｂへ到達し、電子メール受信者７ｆがこれを受信する。迷惑メールサーバ７ｅは、著名なドメインのメールサーバ１ｂとドメイン名が一文字違い等のドメイン名が酷似したメールサーバであり、著名なドメインのメールサーバ１ｂに対する間違いメールを待っているメールサーバである。なお、迷惑メールサーバ７ｅには、６ａのような「不審なメールサーバ」も含むものとする。
【００４４】
メールサーバ７ｃは、電子メール送信者７ａの送信した電子メールの宛先をチェックし、迷惑メールサーバ一覧情報７ｆの迷惑メールサーバドメイン名３ａに登録されているドメイン名に送信しようとしていないか判断する。もし電子メール送信者７ａの入力ミスなどにより迷惑メールサーバ７ｅに送信しようとしていた場合、この迷惑メールサーバ７ｅのドメイン名は迷惑メールサーバ一覧情報７ｆの迷惑メールサーバドメイン名３ａに登録されているので、それに対応する著名メールサーバドメイン名３ｂの情報で、当該電子メールの宛先のドメイン名を本来送られるべき著名なドメインのメールサーバ１ｂのドメイン名に自動的に変換したうえで当該電子メールを送信する。以下に例を挙げて説明する。
【００４５】
電子メール受信者７ｆのメールアドレスをａｂｃ＠ａａａａａ．ｎｅ．ｊｐ、著名なドメインのメールサーバ１ｂのドメイン名をａａａａａ．ｎｅ．ｊｐ、迷惑メールサーバ７ｅのドメイン名をａｂａａａ．ｎｅ．ｊｐとする。また、迷惑メールサーバ一覧情報７ｄの迷惑メールサーバドメイン名３ａにはドメイン名ａｂａａａ．ｎｅ．ｊｐが登録され、それに対応する著名メールサーバドメイン名３ｂにはドメイン名ａａａａａ．ｎｅ．ｊｐが既に登録されているものとする。電子メール送信者７ａが、電子メール受信者７ｂのメールアドレスａｂｃ＠ａａａａａ．ｎｅ．ｊｐをａｂｃ＠ａｂａａａ．ｎｅ．ｊｐと間違って入力し、送信指示を出したとする。メールサーバ７ｃは、電子メール送信者７ａから送信指示の出されたａｂｃ＠ａｂａａａ．ｎｅ．ｊｐ宛の電子メールの送信先ドメイン名が、迷惑メールサーバ一覧情報７ｄの迷惑メールサーバドメイン名３ａに登録されていないかチェックする。ここで、当該電子メールの送信先ドメイン名ａｂａａａ．ｎｅ．ｊｐは、迷惑メールサーバ一覧情報７ｄの迷惑メールサーバドメイン名３ａに登録されているので、当該電子メールの送信先ドメイン名ａｂａａａ．ｎｅ．ｊｐを、迷惑メールサーバ一覧情報７ｄの著名メールサーバドメイン名３ｂに登録されているドメイン名ａａａａａ．ｎｅ．ｊｐに自動的に変換したうえで、当該電子メールを送信する。
【００４６】
メールサーバ７ｃで以上のようなチェックを行うことにより、メールサーバ７ｃに接続されたユーザ端末から送信される電子メールで宛先が迷惑メールサーバ一覧情報７ｄの迷惑メールサーバドメイン名３ａに登録されているドメインであるもの（ユーザによる宛先の入力ミスと見なせる）については、正しい著名ドメインの宛先に置き換えられて送信されることになる。これにより、著名なドメインと一文字違い等の酷似したドメインを持つ迷惑メールサーバに誤ってメールを送信することを防止できる。
【００４７】
なお、メールサーバ７ｃにおいて、送信しようとする電子メールの宛先のドメイン名が迷惑メールサーバ一覧情報７ｄの迷惑メールサーバドメイン名３ａに登録されているものであるが、それに対応する著名メールサーバドメイン名３ｂにスペースが登録されていた場合（例えば、図３のｄｄｄｄｄ．ｎｅ．ｊｐ）は、迷惑メールサーバに電子メールを送信しようとしていることを伝えるメッセージと共に、当該電子メールを送信者へ返信するものとする。
【００４８】
以上ではメールサーバ７ｃでの動作を説明したが、著名なドメインのメールサーバ１ｂでも同様である。
【００４９】
次に、メールサーバ７ｃや著名なドメインのメールサーバ１ｂに電子メールが送信されてきた場合について説明する。メールサーバ７ｃや著名なドメインのメールサーバ１ｂは、送られてきた電子メールの送信元ドメインが、各々が保持する迷惑メールサーバ一覧情報７ｄ，１ｆの迷惑メールサーバドメイン名３ａに登録されていないかチェックする。登録されていた場合、当該電子メールは迷惑メールサーバから送られてきたと判断して、これを自動的に削除する。以下に例を挙げて説明する。
【００５０】
迷惑メールサーバ７ｅのドメイン名はｃｃｃｃｃ．ｎｅ．ｊｐであり、迷惑メールサーバ一覧情報７ｄ，１ｆの迷惑メールサーバドメイン名３ａには、ドメイン名ｃｃｃｃｃ．ｎｅ．ｊｐが既に登録されているものとする。迷惑メールサーバ７ｅが、メールサーバ７ｃや著名なドメインのメールサーバ１ｂへ電子メールを送信すると、メールサーバ７ｃや著名なドメインのメールサーバ１ｂは、当該電子メールの送信元ドメイン名ｃｃｃｃｃ．ｎｅ．ｊｐが、迷惑メールサーバ一覧情報７ｄ，１ｆの迷惑メールサーバドメイン名３ａに登録されていないかチェックする。ここで、ドメイン名ｃｃｃｃｃ．ｎｅ．ｊｐは、迷惑メールサーバ一覧情報７ｄ，１ｆの迷惑メールサーバドメイン名３ａに登録されているので、当該電子メールを迷惑電子メールと判断し、これを自動的に削除する。
【００５１】
メールサーバ７ｃや１ｂで以上のようなチェックを行うことにより、迷惑メールサーバ一覧情報７ｄ，１ｆの迷惑メールサーバドメイン名３ａに登録されているドメインの迷惑メールサーバから送信された電子メールは排除できる。これにより、迷惑メールサーバから送信されるメールを受信することを防止できる。
【００５２】
なお、上記実施の形態では、不審なメールサーバに向けてテスト用メールアドレスを用いてメールを送信し、そのテスト用アドレスを宛先として何らかのメールが送信されてきたとき、前記不審なメールサーバおよびテスト用アドレスを宛先として送信してきた送信元のサーバを迷惑メールサーバと見なしたが、迷惑メールの判別方法としては従来より知られている幾つかの方法がある。例えば、以下の（１）〜（３）のようなものである。
【００５３】
（１）図１，６，７において、迷惑電子メール判断条件情報１ｇの迷惑電子メール判断条件分類４ａの「同一送信元ドメイン条件」で、迷惑電子メール判断条件４ｂに「１秒間に５０件」との条件が設定されている場合、同一の送信元ドメインから１秒間に５０件を超えて電子メールが送られてきたときに、それらの当該電子メールをすべて自動的に削除する。
【００５４】
（２）同様に、迷惑電子メール判断条件情報１ｇの迷惑電子メール判断条件分類４ａの「商業広告メール条件」で、迷惑電子メール判断条件４ｂに「”！広告！”の文字列を含む」との条件が設定されている場合、送られてきた電子メールのサブジェクト（題名）に”！広告！”の文字列が含まれている電子メールを自動的に削除する。
【００５５】
（３）同様に、迷惑電子メール判断条件情報１ｇの迷惑電子メール判断条件分類４ａの「送信元ドメイン不定条件」で、迷惑電子メール判断条件４ｂに「送信元が不明または、送信元が存在しない」との条件が設定されている場合、送られてきた電子メールのうち、送信元が不明の電子メールおよび送信元が存在しない電子メールを自動的に削除する。
【００５６】
以上の（１）〜（３）のような従来より知られている方法で迷惑メールを検出したときは、その迷惑メールの送信元のドメイン名を、迷惑メールサーバ一覧情報１ｆに反映させるものとする。この場合、迷惑メールサーバ一覧情報１ｆの迷惑メールサーバドメイン名３ａに前記迷惑メールの送信元のドメイン名を登録し、対応する著名メールサーバドメイン名３ｂはスペースとすればよい。登録された情報は、迷惑メール撃退サーバ１ａに集中され、最新の情報として各メールサーバの迷惑メールサーバ一覧情報１ｆに反映される。これ以後は、前記従来方法により検出された迷惑メールサーバについても、当該迷惑メールサーバへの電子メールの送信および当該迷惑メールサーバから送信された電子メールの受信を防止できる。
【００５７】
さらに、上記（１）〜（３）のような従来方法を、上述の本実施形態の方法と組み合わせることもできる。すなわち、不審なメールサーバに向けてテスト用メールアドレスを用いてメールを送信し、そのテスト用アドレスを宛先として何らかのメールが送信されてきたとき、そのメールが迷惑メールであるか否かを上記（１）〜（３）のような従来方法で判断し、迷惑メールと判断された場合に、前記不審なメールサーバおよびその迷惑メール送信元のサーバを迷惑メールサーバと判断するようにしてもよい。
【００５８】
上記実施の形態では、迷惑メール撃退サーバ１ａと著名なドメインのメールサーバ１ｂとが別の例で説明したが、これらを一体化した形態としてもよい。すなわち、迷惑メール撃退サーバが行っていた動作を著名なドメインのメールサーバで行うようにしてもよい。これは、著名なドメインのメールサーバが自己のドメイン名の一文字違い等の酷似したドメイン名を持つ迷惑メールサーバを探索し、そのような迷惑メールサーバを迷惑メールサーバ一覧情報に登録し、該迷惑メールに対するメール送受信を防止するものである。
【００５９】
図８に、そのような実施形態のシステムを示す。インターネット上に、著名なドメインのメールサーバ８ａが接続されている。このメールサーバ８ａは、前述の実施形態の迷惑メール撃退サーバ１ａの役割も果たす。著名なドメインのメールサーバ８ａには電子メール利用者が電子メールの送受信に使用するユーザ端末８ｂが接続されている。実際には、ユーザ端末８ｂと同様の複数のユーザ端末が、著名なドメインのメールサーバ８ａに接続されている。著名なドメインのメールサーバ８ａは、迷惑メールサーバ一覧情報８ｃ（前述の実施形態の１ｆに対応）、迷惑電子メール判断条件情報８ｄ（前述の実施形態の１ｇに対応）、およびテスト用メールアドレス一覧情報８ｅ（前述の実施形態の１ｈに対応）を保持している。
【００６０】
図９は、図８の実施形態のシステムで迷惑メールサーバを探知し、その迷惑メールサーバの情報を保持する動作を説明するためのシステム図である。図８と同じ付番は同じものを示す。また、図９の不審なメールサーバ９ａ、個人情報売買業者９ｂ、および迷惑メールサーバ９ｃは、それぞれ、図６の不審なメールサーバ６ａ、個人情報売買業者６ｂ、および迷惑メールサーバ６ｃに対応するものである。
【００６１】
図９において、図６で説明した▲１▼〜▲６▼の動作で迷惑メールサーバを検出する動作は前述の実施形態と同じである。ただし、図８のシステムでは、著名なドメインのメールサーバ８ａが前述の迷惑メール撃退サーバの役割も果たすので、図６の▲２▼および▲３▼の動作はサーバ内の内部的な動作となり、図９では表れていない。また、迷惑メールサーバの登録の後の動作は、図７で説明したのと同様である。すなわち、メールサーバ８ａに接続されたユーザ端末８ｂから送信される電子メールについては、その宛先が迷惑メールサーバ一覧情報８ｃに登録されているドメイン名であるか否かチェックし、登録されているものであれば正しいドメイン名に置き換えて送信する。また、インターネットを介して受信した電子メールについては、その送信元が迷惑メールサーバ一覧情報８ｃに登録されているドメイン名であるか否かチェックし、登録されているものであればその電子メールを破棄する。
【００６２】
【発明の効果】
以上説明したように、本発明によれば、著名なドメイン名と一文字違い等の酷似したドメインを持つ迷惑メールサーバを構築し、そこに誤って送られて来る電子メールのアドレスを不当に収集するような迷惑メールサーバを容易に探知できる。特に、迷惑メールサーバの存在を事前に探知し、その一覧情報を保持することで、迷惑メールサーバへ間違って電子メールを送信することを未然に防止でき、受信者のメールアドレスの漏洩を防ぐことによって、受信者に、嫌がらせ目的の大量の無意味な電子メール（スパムメール）、望まない商業広告目的のメール（ダイレクトメール）等が送信されてくることを未然に防止することができるという利点がある。また、迷惑メールサーバから送信されてきた迷惑電子メールを、迷惑メールサーバ一覧情報に基づいて自動的に削除することより、嫌がらせ目的の大量の無意味な電子メール（スパムメール）、望まない商業広告目的のメール（ダイレクトメール）等を、電子メール利用者が受信するのを未然に防止することができるという利点もある。更に、迷惑メール撃退サーバが複数の著名なドメインのサーバと契約することにより、著名ドメインサーバにとっては、他の著名ドメインサーバが得た迷惑メールサーバの情報を共有することができるという利点があり、また迷惑メール撃退サーバにとっても、多数の迷惑メールサーバ情報を保持することにより、新たな著名ドメインサーバとの契約を獲得しやすいという利点がある。
【図面の簡単な説明】
【図１】本発明の実施形態であるシステムの構成例を示す図である。
【図２】著名ドメイン一覧情報の構成図である。
【図３】迷惑メールサーバ一覧情報の構成図である。
【図４】電子メール受信条件情報の構成図である。
【図５】テスト用メールアドレス一覧情報の構成図である。
【図６】迷惑メールサーバを探知しその迷惑メールサーバの情報を保持する動作を説明するためのシステム図である。
【図７】迷惑メールサーバへの電子メールの送信防止および迷惑メールサーバからの電子メールの受信防止の動作を説明するためのシステム図である。
【図８】迷惑メール撃退サーバが行っていた動作を著名なドメインのメールサーバで行うようにした実施形態を説明するためのシステム図である。
【図９】図８の実施形態のシステムで迷惑メールサーバを探知し、その迷惑メールサーバの情報を保持する動作を説明する構成図である。
【符号の説明】
１ａ…迷惑メール撃退サーバ、１ｂ…著名なドメインのメールサーバ、１ｄ…ユーザ端末、１ｅ…著名ドメイン一覧情報、１ｆ…迷惑メールサーバ一覧情報、１ｇ…迷惑電子メール判断条件情報、１ｈ…テスト用メールアドレス一覧情報、２ａ…著名ドメインリスト、２ｂ…不審メールサーバ発見時連絡先、３ａ…迷惑メールサーバドメイン名、３ｂ…著名メールサーバドメイン名、４ａ…同一送信元ドメイン条件、４ｂ…商業広告メール条件、５ａ…テストメール送信対象ドメイン名、５ｂ…テスト用メールアドレス、６ａ…不審なメールサーバ、６ｂ…個人情報売買業者、６ｃ…迷惑メールサーバ、７ａ…電子メール送信者、７ｆ…電子メール受信者、７ｃ…メールサーバ、７ｅ…迷惑メールサーバ、７ｂ…ユーザ端末、７ｇ…ユーザ端末。
【図１】
2004104271.tif 000003
【図２】
2004104271.tif 000004
【図３】
2004104271.tif 000005
【図４】
2004104271.tif 000006
【図５】
2004104271.tif 000007
【図６】
2004104271.tif 000008
【図７】
2004104271.tif 000009
【図８】
2004104271.tif 000010
【図９】
2004104271.tif 000011